(57)【要約】      （修正有）【課題】モバイル端末と画像処理装置とを近距離無線通信で接続し、画像処理装置がタイミングよくジョブを実行できる画像処理システム、及び画像処理装置を提供する。【解決手段】モバイル端末２００とペアリングを行っている画像処理装置１００の中から最も近い位置に設置されている画像処理装置１００をユーザーがモバイル端末２００から検索する（１）。ユーザーはモバイル端末２００から検索された画像処理装置１００にジョブ実行要求を送信する（２）。画像処理装置１００が受信したジョブ実行要求をジョブ実行要求記憶エリアに一時的に記憶する（３）。モバイル端末２００と画像処理装置１００の間の距離が特定の距離の範囲以内となると（４）、画像処理装置１００とモバイル端末２００とが近距離無線通信により接続され（５）、画像処理装置１００のジョブ実行処理部がジョブ実行要求記憶エリアのジョブ実行要求のジョブを実行する（６）。【選択図】図３
2016071704.tif 000002
【特許請求の範囲】
【請求項１】
モバイル端末と画像処理装置とを有する画像処理システムであって、
前記モバイル端末は、
前記画像処理装置にジョブ実行要求を送信するジョブ実行要求送信部と、
前記画像処理装置と近距離無線通信を行うモバイル端末近距離無線通信部と
を備え、
前記画像処理装置は、
前記モバイル端末から前記ジョブ実行要求を受信するジョブ実行要求受信部と、
前記ジョブ実行要求のジョブを実行するジョブ実行部と、
前記モバイル端末と近距離無線通信を行う画像処理装置近距離無線通信部と
を備え、
前記モバイル端末と前記画像処理装置の間の距離が特定の範囲以内になると、前記モバイル端末近距離無線通信部と前記画像処理装置近距離無線通信部は、互いに近距離無線通信による接続を確立し、前記ジョブ実行部は、前記ジョブ実行要求のジョブを実行することを特徴とする画像処理システム。
【請求項２】
前記モバイル端末の前記ジョブ実行要求送信部は、ネットワーク通信により前記ジョブ実行要求を前記画像処理装置に送信することを特徴とする請求項１に記載の画像処理システム。
【請求項３】
前記ジョブ実行要求受信部は、前記ジョブ実行要求を受信すると一時的に記憶することを特徴とする請求項１または請求項２に記載の画像処理システム。
【請求項４】
前記画像処理装置は、
前記画像処理装置の省電力状態を制御する状態制御部を備え、
前記モバイル端末と前記画像処理装置の間の距離が特定の範囲以内になると、前記モバイル端末近距離無線通信部と前記画像処理装置近距離無線通信部は、互いに近距離無線通信による接続を確立し、前記状態制御部は、前記画像処理装置がスリープ状態であるときにレディ状態に遷移することを特徴とする請求項３に記載の画像処理システム。
【請求項５】
モバイル端末からジョブ実行要求を受信するジョブ実行要求受信部と、
前記ジョブ実行要求のジョブを実行するジョブ実行部と、
前記モバイル端末と近距離無線通信を行う近距離無線通信部と
を備え、
前記モバイル端末との距離が特定の範囲以内になると、近距離無線通信部は、前記モバイル端末と近距離無線通信による接続を確立し、前記ジョブ実行部が前記ジョブ実行要求のジョブを実行することを特徴とする画像処理装置。
【請求項６】
前記ジョブ実行要求受信部は、ネットワーク通信により前記ジョブ実行要求を前記モバイル端末から受信することを特徴とする請求項５に記載の画像処理装置。
【請求項７】
前記ジョブ実行要求受信部は、前記ジョブ実行要求を受信すると一時的に記憶することを特徴とする請求項５または請求項６に記載の画像処理装置。
【発明の詳細な説明】
【技術分野】
【０００１】
本発明は、モバイル端末から要求されたジョブを画像処理装置が実行する画像処理システム、及び画像処理装置に関する。
【背景技術】
【０００２】
ネットワークに接続されているプリンター、多機能プリンター、多機能周辺装置、又は複合機などのＭＦＰ（Ｍｕｌｔｉｆｕｎｃｔｉｏｎ  Ｐｅｒｉｐｈｅｒａｌ）である画像処理装置は、携帯電話、スマートフォン、または携帯端末（以下、「モバイル端末」という）からジョブの実行要求によりジョブを実行することができる。ユーザーがモバイル端末から画像処理装置にジョブの実行要求を行うときには、まず、最も近いところに設置されている接続可能な画像処理装置をモバイル端末で検索し、その画像処理装置に対してジョブの実行要求を行うと、画像処理装置が要求されたジョブを実行する。次いで、ユーザーは、ジョブの実行要求を行った画像処理装置に移動し、画像処理装置でジョブの実行結果を確認する。このように、ユーザーが画像処理装置から離れた場所にいても、モバイル端末から画像処理装置に容易にジョブの実行要求を行うことができるが、ユーザーが画像処理装置に移動する前にジョブの実行が完了すると、ジョブの実行結果がそのままの状態となる。特に、印刷ジョブの実行要求であるときには、ユーザーが画像処理装置に到着するまで印刷された用紙が画像処理装置の排出トレイに置かれたままになるので、印刷された用紙から情報が漏洩することがある。このため、モバイル端末から画像処理装置に対してリモート操作を行うときに、情報のセキュリティーが確保できるようにする対策が実施されている。例えば、特許文献１の画像処理装置及び画像処理システムでは、画像処理装置がＧＰＳによってユーザーが所持している無線端末と画像処理装置との相対位置が特定の範囲になったことを検知すると、画像処理装置は、無線端末から要求された画像の処理を開始している。
【先行技術文献】
【特許文献】
【０００３】
【特許文献１】特開２００１−８６２７５号公報
【発明の概要】
【発明が解決しようとする課題】
【０００４】
しかし、特許文献１の画像処理装置及び画像処理システムでは、ＧＰＳにより無線端末の位置を検出しているので、ＧＰＳ機能を搭載していない無線端末には適用することができないという問題があった。また、ＧＰＳによる位置情報では、１０ｍ以上の誤差があるので、この誤差によってユーザーが画像処理装置の近くに移動したタイミングで処理後の画像を取得できないことがあった。
【０００５】
本発明はこのような状況に鑑みてなされたものであり、上記課題を解決できる画像処理システム、及び画像処理装置を提供することを目的とする。
【課題を解決するための手段】
【０００６】
本発明の画像処理システムは、モバイル端末と画像処理装置とを有する画像処理システムであって、前記モバイル端末は、前記画像処理装置にジョブ実行要求を送信するジョブ実行要求送信部と、前記画像処理装置と近距離無線通信を行うモバイル端末近距離無線通信部とを備え、前記画像処理装置は、前記モバイル端末から前記ジョブ実行要求を受信するジョブ実行要求受信部と、前記ジョブ実行要求のジョブを実行するジョブ実行部と、前記モバイル端末と近距離無線通信を行う画像処理装置近距離無線通信部とを備え、前記モバイル端末と前記画像処理装置の間の距離が特定の範囲以内になると、前記モバイル端末近距離無線通信部と前記画像処理装置近距離無線通信部は、互いに近距離無線通信による接続を確立し、前記ジョブ実行部は、前記ジョブ実行要求のジョブを実行することを特徴としている。
また、本発明の画像処理システムの前記モバイル端末の前記ジョブ実行要求送信部は、ネットワーク通信により前記ジョブ実行要求を前記画像処理装置に送信することを特徴としている。
また、本発明の画像処理システムの前記ジョブ実行要求受信部は、前記ジョブ実行要求を受信すると一時的に記憶することを特徴としている。
本発明の画像処理システムは、前記画像処理装置は、前記画像処理装置の省電力状態を制御する状態制御部を備え、前記モバイル端末と前記画像処理装置の間の距離が特定の範囲以内になると、前記モバイル端末近距離無線通信部と前記画像処理装置近距離無線通信部は、互いに近距離無線通信による接続を確立し、前記状態制御部は、前記画像処理装置がスリープ状態であるときにレディ状態に遷移することを特徴としている。
本発明の画像処理装置は、モバイル端末からジョブ実行要求を受信するジョブ実行要求受信部と、前記ジョブ実行要求のジョブを実行するジョブ実行部と、前記モバイル端末と近距離無線通信を行う近距離無線通信部とを備え、前記モバイル端末との距離が特定の範囲以内になると、近距離無線通信部は、前記モバイル端末と近距離無線通信による接続を確立し、前記ジョブ実行部が前記ジョブ実行要求のジョブを実行することを特徴としている。
また、本発明の画像処理装置の前記ジョブ実行要求受信部は、ネットワーク通信により前記ジョブ実行要求を前記モバイル端末から受信することを特徴としている。
また、本発明の画像処理装置の前記ジョブ実行要求受信部は、前記ジョブ実行要求を受信すると一時的に記憶することを特徴としている。
【発明の効果】
【０００７】
本発明の画像処理システム、及び画像処理装置は、モバイル端末と画像処理装置とをBluetooth（登録商標）を用いた通信（以下、「近距離無線通信」という）で接続することで、画像処理装置がタイミングよくジョブを実行できる。
【図面の簡単な説明】
【０００８】
【図１】本発明の実施形態に係る画像処理システムの構成を示す図である。
【図２】図１に示す画像処理システムの画像処理装置とモバイル端末の機能構成を示す図である。
【図３】本発明の実施形態に係る画像処理装置がタイミングよくモバイル端末のジョブを実行する手順を示す図である。
【図４】本発明の実施形態に係る画像処理装置がタイミングよくモバイル端末の印刷を要求するジョブを実行する詳細な手順を示すフローチャートである。
【発明を実施するための形態】
【０００９】
以下、本発明を実施するための形態（以下、「実施形態」という）を、図面を参照して説明する。実施形態の画像処理システムでは、モバイル端末は近距離無線通信により接続する画像処理装置を事前に登録しておく。ユーザーが接続可能な画像処理装置をモバイル端末で検索し、画像処理装置に対するジョブの実行要求（以下、「ジョブ実行要求」という）をネットワークまたはインターネットを経由して検索した画像処理装置に送信する。ユーザーがモバイル端末を所持した状態でジョブ実行要求を送信した画像処理装置に近づくことで、画像処理装置との距離が特定の範囲以内になると、モバイル端末と画像処理装置との間に近距離無線通信による接続が確立され（以下、「ペアリング」という。）、画像処理装置はジョブ実行要求のジョブを実行する。なお、事前に登録される画像処理装置の情報は、画像処理装置の名称、装置ＩＤ、ＩＰアドレスを含む。また、画像処理装置には、モバイル端末とペアリングを行って接続するための認証に用いる暗証番号が予め設定され、登録されている。
【００１０】
まず、本実施形態の画像処理システム１０のシステム構成について、図１を用いて説明する。図１に示すように、画像処理システム１０は、複数の画像処理装置１００、複数のモバイル端末２００、アクセスポイント３００、ネットワーク４００、ルーター５００、インターネット６００、及びアクセスポイント７００により構成されている。画像処理装置１００、アクセスポイント３００、及びルーター５００はネットワーク４００に接続され、ネットワーク４００はルーター５００を経由してインターネット６００に接続される。
【００１１】
画像処理装置１００は、プリンター、多機能プリンター、多機能周辺装置、または複合機であり、近距離無線通信、アクセスポイント３００、またはインターネット６００によりモバイル端末２００と接続して、データの送受信を行うことができる。
【００１２】
モバイル端末２００は、携帯電話、スマートフォン、またはタブレット端末等であり、近距離無線通信、ネットワーク４００のアクセスポイント３００、またはインターネット６００のアクセスポイント７００により画像処理装置１００と接続して、データの送受信を行うことができる。なお、モバイル端末２００には、モバイル端末２００を識別するためのユニークな端末ＩＤを保持している。
【００１３】
アクセスポイント３００は、ネットワーク４００に接続され、無線通信によりアクセスポイント３００に対して接続要求を行っているモバイル端末２００をネットワーク４００に接続する。
【００１４】
ネットワーク４００は、ＬＡＮ（Local Area Network）などのネットワーク(イントラネット等)であり、複数の画像処理装置１００、アクセスポイント３００、及びルータ５００が接続されている。
【００１５】
ルーター５００は、ネットワーク４００に接続され、ネットワーク４００をインターネット６００に接続する。
【００１６】
インターネット６００は、インターネットやイントラネット等のＩＰネットワークであり、複数のモバイル端末２００がアクセスポイント７００を経由して接続される。
【００１７】
次に、画像処理システム１０の画像処理装置１００とモバイル端末２００の機能構成について、図２を用いて説明する。図２においては、１台の画像処理装置１００と１台のモバイル端末２００の機能構成を示すが、図１に示す他の画像処理装置１００及び他のモバイル端末２００についても同様の機能構成である。
【００１８】
まず、画像処理装置１００の機能構成について、説明する。図２に示す画像処理装置１００は、制御部１０１、メモリー部１０２、データ保存部１０３、操作パネル１０４、操作パネル処理部１０５、原稿読取部１０６、画像処理部１０７、印刷部１０８、近距離無線通信部１０９、及びネットワーク通信部１１０を備え、これら各部はバスなどにより接続される構成となっている。制御部１０１には、ジョブ実行要求受信処理部１０１ａ、ジョブ実行処理部１０１ｂ、及び状態制御部１０１ｃが設けられている。メモリー部１０２には、ジョブ実行要求一時記憶エリア１０２ａが設けられている。データ保存部１０３には、画像保存ボックス１０３ａが設けられている。
【００１９】
制御部１０１は、ＲＡＭやＲＯＭ等の主記憶デバイス、及びＣＰＵ(Central Processing Unit)等のプロセッサーを備えている。また、制御部１０１は、各種Ｉ／Ｏや、ＵＳＢ（ユニバーサル・シリアル・バス）等のインターフェイス、バスコントローラー等を含む総合的な画像処理装置１００の制御を行う。
ジョブ実行要求受信処理部１０１ａは、モバイル端末２００からジョブ実行要求を受信し、受信したジョブ実行要求をジョブ実行要求一時記憶エリア１０２ａに記憶する。
ジョブ実行処理部１０１ｂは、ジョブ実行要求データ一時記憶エリア１０２ａからジョブ実行要求を取り出し、ジョブ実行要求のジョブを実行する。
状態制御部１０１ｃは、画像処理装置１００の省電力状態を制御する。
【００２０】
メモリー部１０２は、フラッシュメモリー等の補助記憶装置で、制御部１０１が実行する処理のプログラムやデータを記憶する。
ジョブ実行要求一時記憶エリア１０２ａは、モバイル端末２００から受信したジョブ実行要求を一時的に記憶する。
【００２１】
データ保存部１０３は、データやプログラムを記憶するハードディスクドライブである。
画像保存ボックス１０３ａは、原稿読取部１０６により原稿が読み取られて画像処理部１０７により画像処理された画像、モバイル端末２００から受信した画像、又は他の画像処理装置１００から受信した画像に対して、ユーザーが指定した画像を保存する。
【００２２】
操作パネル１０４は、操作画面、画像の表示と、ユーザーによる操作の受け付けを行う液晶パネルである。
【００２３】
操作パネル処理部１０５は、画像処理装置１００が備えている機能に対する操作項目を操作パネル１０４に表示する処理、画像を操作パネル１０４に表示する処理、または操作パネル１０４からユーザーの操作を入力する処理を行う。
【００２４】
原稿読取部１０６は、ユーザーによる操作パネル１０４からの読み取り操作により、画像処理装置１００の原稿台にセットされた原稿を読み取り、画像処理部１０７に出力する。
【００２５】
画像処理部１０７は、原稿読取部１０６で読み取られた原稿を、印刷可能及びＦＡＸ送信が可能な画像に変換する。
【００２６】
印刷部１０８は、印刷要求により画像をコピー用紙などに印刷する。
【００２７】
近距離無線通信部１０９は、近距離無線通信規格であるBluetooth（登録商標）によりモバイル端末２００と近距離での直接通信を行う。また、近距離無線通信部１０９は、ユーザーが予め設定したBluetooth（登録商標）のClassに対応する距離の範囲以内にあるモバイル端末２００とペアリングを行い、接続する。このとき、接続したモバイル端末２００の端末ＩＤを制御部１０１に出力する。なお、Bluetooth（登録商標）のClassとは、Bluetooth（登録商標）が接続を行うクラス分けされた距離であり、Class１が１００ｍ、Class２が１０ｍ、Class３が１ｍとなる。例えば、Class２が設定されているときには、画像処理装置１００から１０ｍの範囲以内にモバイル端末２００が近づくと近距離無線により接続される。また、Class３が設定されているときには、画像処理装置１００から１ｍの範囲以内にモバイル端末２００が近づくと近距離無線により接続される。
【００２８】
ネットワーク通信部１１０は、着脱可能なＬＡＮインターフェイスを備え、ネットワーク４００に接続する。
【００２９】
次に、モバイル端末２００の機能構成について、説明する。図２に示すモバイル端末２００は、制御部２０１、メモリー部２０２、近距離無線通信部２０３、操作パネル２０４、操作パネル処理部２０５、及びネットワーク通信部２０６を備え、これら各部はバスなどにより接続される構成となっている。制御部２０１には、ジョブ実行要求送信処理部２０１ａが設けられている。メモリー部２０２には、画像一時記憶エリア２０２ａが設けられている。
【００３０】
制御部２０１は、ＲＡＭやＲＯＭ等の主記憶デバイス、及びＣＰＵ(Central Processing Unit)等のプロセッサーを備えている。また、制御部２０１は、各種Ｉ／Ｏや、ＵＳＢ（ユニバーサル・シリアル・バス）等のインターフェイス、バスコントローラー等を含む総合的なモバイル端末２００の制御を行う。
ジョブ実行要求送信処理部２０１ａは、ジョブ実行要求を画像処理装置１００に送信する。例えば、印刷のジョブ実行要求を送信するときには、ジョブ実行要求送信処理部２０１ａは、モバイル端末２００の端末ＩＤ、印刷要求、及び文書作成ソフトウェア又は作図ソフトウェアなどで作成された画像を格納したジョブ実行要求を画像処理装置１００に送信する。
【００３１】
メモリー部２０２は、フラッシュメモリー等の補助記憶装置で、制御部２０１が実行する処理のプログラムやデータを記憶する。
画像一時記憶エリア２０２ａは、文書作成ソフトウェア又は作図ソフトウェアなどでユーザーが作成した画像を一時的に記憶する。
【００３２】
近距離無線通信部２０３は、近距離無線通信規格であるBluetooth（登録商標）により画像処理装置１００と近距離での直接通信を行う。
【００３３】
操作パネル２０４は、操作画面、画像の表示と、ユーザーによる操作の受け付けを行う液晶パネルである。
【００３４】
操作パネル処理部２０５は、モバイル端末２００が備えている機能に対する操作項目を操作パネル２０４に表示する処理、画像を操作パネル２０４に表示する処理、または操作パネル２０４からユーザーの操作を入力する処理を行う。
【００３５】
ネットワーク通信部２０６は、アクセスポイント３００を経由してネットワーク４００に接続し、またアクセスポイント７００を経由してインターネット６００に接続する。
【００３６】
次に、実施形態における画像処理装置１００がタイミングよくモバイル端末２００のジョブを実行する手順について、図３を用いて説明する。
まず、（１）に示すように、登録されている画像処理装置の中からペアリングの対象となる画像処理装置１００をユーザーがモバイル端末２００から検索する。次いで、（２）に示すように、ユーザーはモバイル端末２００から画像処理装置１００にジョブ実行要求を送信する。次いで、この画像処理装置１００がジョブ実行要求を受信すると、（３）に示すように、画像形成装置１００は、受信したジョブ実行要求をジョブ実行要求一時記憶エリア１０２ａに一時的に記憶する。次いで、モバイル端末２００を所持したユーザーがジョブ実行要求を記憶した画像処理装置１００に近づき、（４）に示すように、モバイル端末２００と画像処理装置１００の間の距離が特定の範囲以内となると、（５）に示すように、ペアリングの対象となる画像処理装置１００が特定され、画像処理装置１００とモバイル端末２００とがペアリングされ、近距離無線通信により接続される。次いで、（６）に示すように、画像処理装置１００のジョブ実行処理部１０１ｂがジョブ実行要求一時記憶エリア１０２ａに一時的に記憶されているジョブ実行要求のジョブを実行する。
【００３７】
次に、画像処理装置１００がタイミングよくモバイル端末２００の印刷を要求するジョブを実行する詳細な手順について、図４のフローチャートを用いて更に詳しく説明する。
【００３８】
（ステップＳ１０１）
まず、モバイル端末２００は、登録されている画像処理装置の中からペアリングの対象となる画像処理装置１００を検索する。具体的には、ユーザーが、モバイル端末２００の操作パネル２０４を操作して、ペアリングモードにすることにより、近距離無線通信による検索が開始される。
【００３９】
（ステップＳ１０２）
次いで、モバイル端末２００の操作パネル２０４は、画像処理装置１００に対する印刷要求のユーザーによる操作を受け付ける。具体的には、操作パネル２０４は、登録されている画像処理装置をリスト表示し、ユーザーの操作により選択された画像処理装置１００に対する印刷要求を受け付ける。
【００４０】
（ステップＳ１０３）
次いで、操作パネル処理部２０５が操作パネル２０４から入力した印刷要求を制御部２０１に出力すると、制御部２０１がジョブ実行要求送信処理部２０１ａを起動する。
【００４１】
（ステップＳ１０４）
次いで、ジョブ実行要求送信処理部２０１ａが起動されると、ジョブ実行要求送信処理部２０１ａは、モバイル端末２００の端末ＩＤ、印刷要求、及び画像一時記憶エリア２０２ａから取り出した画像をジョブ実行要求に格納する。
【００４２】
（ステップＳ１０５）
次いで、ジョブ実行要求送信処理部２０１ａは、ジョブ実行要求をネットワーク通信部１１０により画像処理装置１００に送信する。
【００４３】
（ステップＳ１０６）
次いで、画像処理装置１００のネットワーク通信部１１０がジョブ実行要求を受信すると、実行要求を制御部１０１に出力し、制御部１０１がジョブ実行要求受信処理部１０１ａを起動する。
【００４４】
（ステップＳ１０７）
次いで、ジョブ実行要求受信処理部１０１ａが起動されると、ジョブ実行要求受信処理部１０１ａは、ネットワーク通信部１１０により受信したジョブ実行要求をジョブ実行要求一時記憶エリア１０２ａに記憶する。
【００４５】
（ステップＳ１０８）
次いで、モバイル端末２００と画像処理装置１００の間の距離が特定の範囲以内になると、画像処理装置１００がペアリングの対象として特定される。次いで、画像処理装置１００の近距離無線通信部１０９とモバイル端末２００の近距離無線通信部２０３が互いにペアリングを行う。このとき、近距離無線通信部１０９は、画像形成装置１００の装置ＩＤをモバイル端末２００に送信する。次いで、近距離無線通信部２０３は、受信した装置ＩＤが、ステップＳ１０２で選択された画像処理装置１００の登録されている装置ＩＤと一致するか否かを判断する。受信した装置ＩＤが登録されている装置ＩＤと一致すれば、装置パネル処理部２０５は、特定された画像処理装置の名称と暗証番号を入力するための枠を操作パネル２０４に表示する。近距離無線通信部２０３は、入力された暗証番号を画像処理装置１００に送信する。近距離無線通信部１０９は、暗証番号を受信して、受信された暗証番号が登録されている暗証番号と一致するか否かを判断する。受信された暗証番号が登録情報と一致すれば、画像処理装置１００とモバイル端末２００のペアリングが完了し、近距離無線通信により接続される。そして、近距離無線通信部１０９に接続されたモバイル端末２００の端末ＩＤが制御部１０１に入力される。
受信した装置ＩＤが登録されている装置ＩＤと一致しなければ、近距離無線通信部２０３は、特定の時間（数秒間、例えば、３秒）、近距離無線通信を停止して、近距離無線通信による画像処理装置１００の検索を再開する。
【００４６】
（ステップＳ１０９）
次いで、制御部１０１は、ジョブ実行処理部１０１ｂを起動すると、近距離無線通信部１０９から入力したモバイル端末２００の端末ＩＤをジョブ実行処理部１０１ｂに通知する。
【００４７】
（ステップＳ１１０）
次いで、ジョブ実行処理部１０１ｂは、接続されたモバイル端末２００の端末ＩＤと同じ端末ＩＤを格納しているジョブ実行要求がジョブ実行要求一時記憶エリア１０２ａに存在するかを判断する。ジョブ実行要求が存在するとき（ステップＳ１１０のＹｅｓ）は、ステップＳ１１１に進む。ジョブ実行要求が存在しないとき（ステップＳ１１０のＮｏ）は、ジョブ実行処理を終了する。
【００４８】
（ステップＳ１１１）
ステップＳ１１０のＹｅｓにおいて、ジョブ実行処理部１０１ｂは、接続されたモバイル端末２００の端末ＩＤと同じ端末ＩＤが格納されているジョブ実行要求をジョブ実行要求一時記憶エリア１０２ａから取り出す。
【００４９】
（ステップＳ１１２）
次いで、ジョブ実行処理部１０１ｂは、ジョブ実行要求から画像を取り出し、印刷部１０８に出力する。
【００５０】
（ステップＳ１１３）
次いで、印刷部１０８は、画像を入力すると画像を用紙に印刷し、印刷した用紙を排出する。
【００５１】
なお、ステップＳ１０８の処理は、ステップＳ１０１の後、ステップＳ１０２からＳ１０７と並行して行うことができる。但し、ステップＳ１０２の処理が終了する前、すなわち、ジョブを実行する画像処理装置１００が確定する前に、モバイル端末２００と画像処理装置１００の間の距離が特定の範囲以内になる場合、ステップＳ１０２が終了するまで、受信した装置ＩＤが登録されている装置ＩＤと一致するか否かの判断を保留する。
【００５２】
以上により、モバイル端末２００からネットワーク４００またはインターネット６００を経由して画像処理装置１００にジョブ実行要求を送信する。そして、モバイル端末２００と画像処理装置１００の間の距離が特定の範囲以内になると、モバイル端末２００と画像処理装置１００がペアリングされて、近距離無線通信により接続される。この接続により、画像処理装置１００は、既に受信しているジョブ実行要求のジョブを実行することで、画像処理装置１００は、ユーザーが画像処理装置１００に到着するタイミングでジョブを完了することができる。従って、モバイル端末２００にＧＰＳ機能を搭載することなく一般的に使用可能なBluetooth（登録商標）などの近距離無線通信を用いて、画像処理装置１００から出力される情報のセキュリティーを確保できるとともに、ユーザーの待ち時間を削減できる。また、ペアリングすることで、お互いが認証されてから接続するので、許可されていないユーザーによるモバイル端末２００からのジョブ実行要求を画像処理装置１００は実行しない。
【００５３】
なお、実施形態においては、モバイル端末２００からジョブ実行要求をレディ（Ready）状態となっている画像処理装置１００に送信し、画像処理装置１００とモバイル端末２００が近距離無線通信で接続されると、画像処理装置１００がジョブ実行要求のジョブを実行するが、これに限定されない。例えば、スリープ（Sleep）状態となっている画像処理装置１００において、モバイル端末２００と近距離無線通信で接続されたときに、状態制御部１０１ｃがスリープ状態を解除してレディ状態に遷移させてもよい。このように、画像処理装置１００とモバイル端末２００が近距離無線通信で接続されたときに、画像処理装置１００の状態を遷移させることが可能である。
【００５４】
このように、本発明は、モバイル端末と画像処理装置とをBluetooth（登録商標）を用いた近距離無線通信で接続することで、画像処理装置がタイミングよくジョブを実行できる。
【００５５】
以上、具体的な実施の形態により本発明を説明したが、上記実施の形態は本発明の例示であり、この実施の形態に限定されないことは言うまでもない。
【産業上の利用可能性】
【００５６】
本発明は、画像処理システム、及び画像処理装置に限られるものでなく、端末装置からの要求を実行するシステム、及び装置一般に適用できる。
【符号の説明】
【００５７】
１０・・・・・画像処理システム
１００・・・・・画像処理装置
１０１・・・・・制御部
１０１ａ・・・・ジョブ実行要求受信処理部
１０１ｂ・・・・ジョブ実行処理部
１０１ｃ・・・・状態制御部
１０２・・・・・メモリー部
１０２ａ・・・・ジョブ実行要求一時記憶エリア
１０３・・・・・データ保存部
１０３ａ・・・・画像保存ボックス
１０４・・・・・操作パネル
１０５・・・・・操作パネル処理部
１０６・・・・・原稿読取部
１０７・・・・・画像処理部
１０８・・・・・印刷部
１０９・・・・・近距離無線通信部
１１０・・・・・ネットワーク通信部
２００・・・・・モバイル端末
２０１・・・・・制御部
２０１ａ・・・・ジョブ実行要求送信処理部
２０２・・・・・メモリー部
２０２ａ・・・・画像一時記憶エリア
２０３・・・・・近距離無線通信部
２０４・・・・・操作パネル
２０５・・・・・操作パネル処理部
２０６・・・・・ネットワーク通信部
３００・・・・・アクセスポイント
４００・・・・・ネットワーク
５００・・・・・ルーター
６００・・・・・インターネット
７００・・・・・アクセスポイント
【図１】
2016071704.tif 000003
【図２】
2016071704.tif 000004
【図３】
2016071704.tif 000005
【図４】
2016071704.tif 000006